(57)【特許請求の範囲】
【請求項１】
第一の電線の第一の導体部、及び第二の電線の第二の導体部が一方の側部から挿入された圧縮スリーブの他方の側部から導出された前記第一の電線の被覆部材又は前記第一の導体部の端部に対し径方向で嵌め込み可能に構成された第一保持部と、前記圧縮スリーブの他方の側部から導出された前記第二の電線の前記第二の導体部の端部を挿入可能で且つ挟み込み可能に構成される第二保持部とを備えたことを特徴とする圧縮スリーブ用電線保持具。
【請求項２】
前記第一保持部は、第一の電線が嵌め込み可能な円弧状の嵌合凹部であって、拡径又は縮径可能に構成された嵌合凹部と、前記嵌合凹部の中途位置に形成され、拡径した嵌合凹部を縮径側へ付勢する付勢部とを備えたことを特徴とする請求項１に記載の圧縮スリーブ用電線保持具。
【請求項３】
前記第二保持部は、第二の電線に対して周方向で巻き付くように環状に構成された巻回部を備え、該巻回部は、第二の電線の太さに合わせて拡径可能に構成され、該拡径した状態で縮径側に付勢するように構成されていることを特徴とする請求項１又は２に記載の圧縮スリーブ用電線保持具。
【発明の詳細な説明】
【技術分野】
【０００１】
本発明は、複数の電線を仮止めした状態の圧縮スリーブ、例えば、架空電線及び分岐線を仮止めした状態の分岐用スリーブを圧縮する際に使用する圧縮スリーブ用電線保持具に関する。
【背景技術】
【０００２】
一般的に、図５に示すように、電柱Ｐに架設されている第一の電線（架空電線）Ｃ１から需要家に電力を引き込む場合、第一の電線Ｃ１に第二の電線（分岐線）Ｃ２を接続する。この際、第一の電線Ｃ１と第二の電線Ｃ２との接続部位に圧縮スリーブ（アルミ製の分岐用スリーブ）Ｓが使用される。この理由としては、導体部がアルミ製の第一の電線と、導体部が銅製の第二の電線とによる電気腐食を防止するためである。
【０００３】
この種の圧縮スリーブＳは、図６に示すように、所謂Ｈ型の分岐用スリーブである。該圧縮スリーブＳは、互いに対向する位置に形成され、且つ第一の電線Ｃ１及び第二の電線Ｃ２のそれぞれの導体部を、該導体部の長さ方向に沿って収容可能な一対の導体収容溝Ｓ１，Ｓ１と、該一対の導体収容溝Ｓ１，Ｓ１のそれぞれの側壁部の端縁部から外方（導体部の長さ方向に対して直交方向）に延出された、折り曲げ可能な一対の押さえ板Ｓ２，Ｓ２とを備える。
【０００４】
つぎに前記圧縮スリーブ（分岐用スリーブ）Ｓを使用した分岐線接続方法について説明する。まず、第一の電線（架空電線）Ｃ１と第二の電線（分岐線）Ｃ２とのそれぞれの接続部分の被覆部材を規定の長さ寸法に合わせて剥離し、それぞれの導体部Ｃ１０，Ｃ２０を露出させる。具体的には、第一の電線Ｃ１の途中位置の被覆部材を所定の長さに亘って剥離し、第二の電線Ｃ２の端部の被覆部材を剥離し、それぞれの導体部Ｃ１０，Ｃ２０を露出させる。
【０００５】
つぎに、圧縮スリーブＳの一方の導体収容溝Ｓ１に、第一の電線Ｃ１の導体部Ｃ１０を挿入し、一方の押さえ板Ｓ２を折り曲げ、一方の導体収容溝Ｓ１の開口部を閉塞して、第一の電線Ｃ１の導体部Ｃ１０を仮止めする。
【０００６】
つぎに、圧縮スリーブＳの他方の導体収容溝Ｓ１の押さえ板Ｓ２を折り曲げて、他方の導体収容溝Ｓ１の開口部を閉塞して挿通路を形成し、該挿通路の一方から第二の電線Ｃ１の導体部Ｃ２０を挿通し、第二の電線Ｃ２の導体部Ｃ２０を仮止めする。
【０００７】
そして、図７に示すように、第一の電線Ｃ１の被覆部材及び第二の電線Ｃ２の被覆部材を一の作業者が把持し、他の作業者が圧縮工具（図示せず）で圧縮スリーブＳを圧縮する。これにより、第一の電線Ｃ１と第二の電線Ｃ２とが電気的に接続される（例えば、特許文献１参照）。
【先行技術文献】
【特許文献】
【０００８】
【特許文献１】実公平７−２９５７７号公報
【発明の概要】
【発明が解決しようとする課題】
【０００９】
ところで、前記分岐線接続方法において、圧縮スリーブＳを圧縮する際、第一の電線Ｃ１及び第二の電線Ｃ２が接続位置から移動しないように、第一の電線Ｃ１及び第二の電線Ｃ２のそれぞれを、複数の作業者が把持している。しかし、圧縮スリーブＳの導体収容溝Ｓ１は、第一の電線Ｃ１及び第二の電線Ｃ２のそれぞれの導体部Ｃ１０，Ｃ２０の延びる方向に沿って形成されており、しかも、第一の電線Ｃ１及び第二の電線Ｃ２の径よりも少し大きい幅に形成されているため、それぞれの導体部Ｃ１０，Ｃ２０の延びる方向に圧縮スリーブＳが移動可能な状態になっている。したがって、圧縮スリーブＳの位置を固定して圧縮するのが困難であり、圧縮スリーブＳの圧縮作業に対する作業効率が悪い、という問題がある。
【００１０】
そこで、本発明は、上記問題に鑑み、接続される複数の電線と、該複数の電線のそれぞれの露出した導体部を接続するための圧縮スリーブとが、複数の電線を接続する接続位置からずれることを防止することで、前記接続位置において圧縮スリーブを容易に且つ確実に圧縮できるとともに、複数の電線を容易に且つ確実に接続できる圧縮スリーブ用電線保持具を提供することを目的とする。
【課題を解決するための手段】
【００１１】
本発明に係る圧縮スリーブ用電線保持具は、第一の電線の第一の導体部、及び第二の電線の第二の導体部が一方の側部から挿入された圧縮スリーブの他方の側部から導出された前記第一の電線の被覆部材又は前記第一の導体部の端部に対し径方向で嵌め込み可能に構成された第一保持部と、前記圧縮スリーブの他方の側部から導出された前記第二の電線の前記第二の導体部の端部を挿入可能で且つ挟み込み可能に構成される第二保持部とを備えたことを特徴とする。
【００１２】
かかる構成によれば、圧縮スリーブの他方から導出された第一の電線の被覆部材又は第一の導体部が第一保持部に径方向で嵌め込まれるとともに、圧縮スリーブの他方から導出された第二の電線の第二の導体部の端部が第二保持部に挟み込まれることで、第一の電線及び第二の電線を、第一の電線及び第二の電線の軸線方向にずれないように保持することができる。
【００１３】
一方、圧縮スリーブは、第一保持部及び第二保持部と、第一の電線の被覆部材及び第二の電線の被覆部材との間で位置固定される。したがって、第一の電線、第二の電線及び圧縮スリーブは、第一の電線及び第二の電線が接続される接続位置からずれることがなく、第一の電線、第二の電線、及び圧縮スリーブのそれぞれが、接続位置において位置固定された状態で、圧縮スリーブを容易に且つ確実に圧縮することができ、第一の電線及び第二の電線を容易に且つ確実に接続できる。
【００１４】
本発明に係る圧縮スリーブ用電線保持具の一態様として、前記第一保持部は、第一の電線が嵌め込み可能な円弧状の嵌合凹部であって、拡径又は縮径可能に構成された嵌合凹部と、前記嵌合凹部の中途位置に形成され、拡径した嵌合凹部を縮径側へ付勢する付勢部とを備えることが好ましい。
【００１５】
かかる構成によれば、第一保持部の嵌合凹部に、第一の電線の被覆部材又は第一の導体部が径方向に嵌め込まれた状態で、嵌合凹部が拡径すると、付勢部によって嵌合凹部が縮径側へ付勢されているので、嵌合凹部の内周面が第一の電線の外周面に圧接する。これにより、第一保持部によって第一の電線が保持される。
【００１６】
さらに、第一保持部の嵌合凹部に第一の電線の被覆部材又は第一の導体部が繰り返し嵌脱されても、付勢部によって、誘導部が第一の電線側に付勢されるため、嵌合凹部１１０内への第一の電線Ｃ１誘導しやすくなる。
【００１７】
本発明に係る圧縮スリーブ用電線保持具の他態様として、前記第二保持部は、第二の電線に対して周方向で巻き付くように環状に構成された巻回部を備え、該巻回部は、第二の電線の太さに合わせて拡径可能に構成され、該拡径した状態で縮径側に付勢するように構成されていることが好ましい。
【００１８】
かかる構成によれば、巻回部を拡径することで、電線の導体部を挿入しやすくなる。この状態で巻回部は縮径されて、電線の導体部の外周面に巻回部の内周面が巻き付いて圧接するようになる。これにより、第二の電線を第二保持部で保持することができる。
【発明の効果】
【００１９】
以上のように、本発明によれば、接続される複数の電線と、該複数の電線を接続するための圧縮スリーブとが、複数の電線を接続する接続位置からずれることを防止することができる結果、前記接続位置において圧縮スリーブを容易に且つ確実に圧縮できるとともに、複数の電線を容易に且つ確実に接続することができる。
【図面の簡単な説明】
【００２０】
【図１】図１は、本発明の一実施形態に係る圧縮スリーブ用電線保持具を示す斜視図。
【図２】図２は、図１の圧縮スリーブ用電線保持具の第一保持部に第一の電線を嵌め込む様子を示す側面図。
【図３】図３は、図１の圧縮スリーブ用電線保持具の第二保持部の巻回部を拡径させて第二の電線を巻回部に挿通した状態を示す側面図。
【図４】図４は、同実施形態に係る圧縮スリーブ用電線保持具によって第一の電線及び第二の電線が保持された状態を示す斜視図。
【図５】図５は、圧縮スリーブを使用した従来の分岐接続構造を示す概略斜視図。
【図６】図６は、圧縮スリーブを示す図。
【図７】図７は、圧縮スリーブを使用した従来の分岐接続方法を示す図。
【発明を実施するための形態】
【００２１】
本発明の一実施形態に係る圧縮スリーブ用電線保持具について図面を参照しつつ説明する。
【００２２】
まず、本実施形態に係る圧縮スリーブ用電線保持具を、圧縮スリーブを使用した電線の接続構造に適用する場合を例にとって説明する。該電線の接続構造は、図５に示すように、電柱Ｐに架設されている第一の電線（架空電線）Ｃ１と、需要家に電力を引き込むための第二の電線（分岐線）Ｃ２と、第一の電線Ｃ１と第二の電線Ｃ２とを接続する圧縮スリーブ（分岐用スリーブ）Ｓとを備える。
【００２３】
そして、本実施形態の圧縮スリーブ用電線保持具１は、第一の電線Ｃ１の第一の導体部、及び第二の電線Ｃ２の第二の導体部が一方の側部から挿入された圧縮スリーブＳの他方の側部から導出された、第一の電線Ｃ１の被覆部材及び第二の電線Ｃ２の第二の導体部の端部に使用される。
【００２４】
つぎに、本実施形態に係る圧縮スリーブ用電線保持具について図１〜図４を参照して説明する。圧縮スリーブ用電線保持具１は、第一の電線Ｃ１の第一の導体部Ｃ１０、及び第二の電線Ｃ２の第二の導体部Ｃ２０が一方の側部から挿入された圧縮スリーブＳの他方の側部から導出された第一の電線Ｃ１の被覆部材又は第一の導体部Ｃ１０の端部（本実施形態では被覆部材）に対し径方向で嵌め込み可能に構成された第一保持部１１と、圧縮スリーブＳの他方の側部から導出された第二の電線Ｃ２の第二の導体部Ｃ２０の端部を挿入可能で且つ挟み込み可能に構成される第二保持部１２と、第一保持部１１と第二保持部１２とを連結する連結部１３とを備える。
【００２５】
第一保持部１１は、第一の電線Ｃ１の被覆部材に対して嵌脱可能な嵌合凹部１１０と、該嵌合凹部１１０内に第一の電線Ｃ１の被覆部材を誘導する誘導部１１１と、該誘導部１１１の一方の端部を内側に付勢する付勢部１１２とを備える。
【００２６】
嵌合凹部１１０は円弧状に折れ曲がっており、その円弧長は、第一の電線Ｃ１の幅方向の外周面に対し、半周以上の領域に対応する長さを有し、且つ第一の電線Ｃ１の外径よりも小径に設定される。また、嵌合凹部１１０は、径方向に弾性変形可能に構成される。具体的には、弾性的に拡径又は縮径可能に構成されている。また、嵌合凹部１１０は、第一の電線Ｃ１を保持できる所定の幅寸法を有している。また、嵌合凹部１１０は、後述する付勢部１１２によって、一方の端部と他方の端部とが接続され、互いの端部が内側に向かうように付勢されている。これにより、一方の端部と他方の端部との間に形成される開口部が拡縮可能に構成され、第一の電線Ｃ１に対する嵌脱が可能になる。
【００２７】
誘導部１１１は、嵌合凹部１１０の一方の端部から、嵌合凹部１１０と同じ幅寸法で延出され、先端部が外側に向かうにしたがって大きく傾斜するように形成されている。また、誘導部１１１は、嵌合凹部１１０が縮径した状態で、第一の電線Ｃ１の外周面に当接し、第一の電線Ｃ１が嵌合凹部１１０内に径方向に嵌め込まれるにしたがって、嵌合凹部１１０が押し広げられ、第一の電線Ｃ１の半周以上の領域に達すると、嵌合凹部１１０内に第一の電線Ｃ１が嵌め込まれる。
【００２８】
付勢部１１２は、嵌合凹部１１０の途中位置に嵌合凹部１１０と同じ幅寸法で連設され、嵌合凹部１１０よりも小さく、半周以上の長さを有した円弧状を呈している。そして、付勢部１１２の開口部は、嵌合凹部１１０の開口部に対向する位置に配置され、付勢部１１２の開口部の離間距離は、嵌合凹部１１０の開口部の離間距離よりも小さく、径方向に弾性変形した嵌合凹部１１０を元の形状に戻すように付勢する。具体的には、拡径した嵌合凹部１１０を縮径側へ付勢し、縮径した嵌合凹部１１０を拡径側へ付勢する。また、誘導部１１１は、嵌合凹部１１０に第一の電線Ｃ１の被覆部材又は第一の導体部Ｃ１０が繰り返し嵌脱されても、第一の電線Ｃ１に対する保持力を維持するように構成されている。
【００２９】
第二保持部１２は、第二の電線Ｃ２に対して周方向で巻き付くように環状に構成された巻回部１２０を備える。該巻回部１２０は、第一保持部１１の幅寸法よりも小さく、第二の電線Ｃ２の第二の導体部Ｃ２０の外周面に巻き付いて、第二の電線Ｃ２を十分に保持できる幅寸法を有している。また、巻回部１２０の両端部は、連結部から離間し相対移動できるように構成される。そして、巻回部１２０の両端部の相対位置を変化させることで、第二の電線Ｃ２の太さに合わせて拡縮可能に構成されるとともに、該拡径した状態で縮径側に付勢するように構成される。具体的には、巻回部１２０の両端部が内周側に変化すると、巻回部１２０は縮径し、巻回部１２０の両端部が外周側に変化すると、巻回部１２０は拡径し、弾性力によって元の状態に復帰するように構成される。
【００３０】
また、巻回部１２０の一方の端部には、可動側摘持部１２１が延設される。該可動側摘持部１２１の基端部は、一方の端部の側部に連設されて、巻回部１２０の他方の端部よりも径外側に延びて、先端部は自由端になっている。
【００３１】
連結部１３は、平板状で、嵌合凹部１１０の他方の端部と巻回部１２０の他方の端部とを繋いで、第一の電線Ｃ１及び第二の電線Ｃ２を十分に平行支持できる幅寸法を有している。
【００３２】
また、連結部１３の背面には、固定側摘持部１２２が突設されている。該固定側摘持部１２２は、可動側摘持部１２１に対して所定の距離をおいて平行し、可動側摘持部１２１との距離を調整することで、第二保持部１２を拡縮できる。したがって、可動側摘持部１２１及び固定側摘持部１２２を設けることで、把持しやすくなるとともに、第二保持部１２を拡縮しやすくなる。
【００３３】
つぎに本実施形態に係る圧縮スリーブ用電線保持具の使用態様について説明する。まず、第一の電線Ｃ１と第二の電線Ｃ２とのそれぞれの接続部分の被覆部材を規定の長さ寸法に合わせて剥離し、それぞれの導体部Ｃ１０，Ｃ２０を露出させる。具体的には、第一の電線Ｃ１の途中位置の被覆部材を所定の長さに亘って剥離し、第二の電線Ｃ２の端部の被覆部材を剥離し、それぞれの導体部Ｃ１０，Ｃ２０を露出させる。
【００３４】
つぎに、圧縮スリーブＳの一方の導体収容溝Ｓ１に、第一の電線Ｃ１の第一の導体部Ｃ１０を挿入し、圧縮スリーブＳの一方の押さえ板Ｓ２を折り曲げ、一方の導体収容溝Ｓ１の開口部を閉塞して、第一の電線Ｃ１の第一の導体部Ｃ１０を仮止めする。
【００３５】
つぎに、圧縮スリーブＳの他方の導体収容溝Ｓ１の押さえ板Ｓ２を折り曲げて、他方の導体収容溝Ｓ１の開口部を閉塞し挿通路を形成し、該挿通路の一方から第二の電線Ｃ２の導体部Ｃ２０を挿通する。これにより、圧縮スリーブＳによって、第一の電線Ｃ１と第二の電線Ｃ２とが仮止めされた状態になる。
【００３６】
この状態において、圧縮スリーブＳの他方から導出された第一の電線Ｃ１の被覆部材が第一保持部１１に径方向で嵌め込まれるとともに、圧縮スリーブＳの他方から導出された第二の電線Ｃ２の第二の導体部Ｃ２０の先端が第二保持部１２に挟み込まれる。
【００３７】
具体的には、図２に示すように、第一保持部１１の誘導部１１１が第一の電線Ｃ１の被覆部材に当接する。この状態から第一保持部１１に第一の電線Ｃ１を押し込むと、第一保持部１１の嵌合凹部１１０が第一の電線Ｃ１の外周面によって押し広げられて、第一保持部１１の嵌合凹部１１０に、第一の電線Ｃ１の被覆部材が径方向に嵌め込まれる。このとき、嵌合凹部１１０の弾性力と付勢部１１２の付勢力とによって、嵌合凹部１１０の内周面に第一の電線Ｃ１の外周面が圧接する。
【００３８】
さらに、第一保持部１１の嵌合凹部１１０の弾性力と付勢部１１２の付勢力とによって、第一保持部１１の誘導部１１１が第一の電線Ｃ１の被覆部材の外周面に係止することになる。これにより、第一保持部１１によって第一の電線Ｃ１が保持される（図４参照）。
【００３９】
一方、図３に示すように、第二保持部１２において、可動側摘持部１２１を固定側摘持部１２２に向かって移動（近接）させ、第二保持部１２の巻回部１２０を拡径し、拡径した巻回部１２０の一方から第二の電線Ｃ２の第二の導体部Ｃ２０を挿入する。その後、可動側摘持部１２１を元の位置、すなわち固定側摘持部１２２に対して離間した待機位置に戻し、巻回部１２０を縮径させて、第二の電線Ｃ２の第二の導体部Ｃ２０の外周面に巻回部１２０の内周面を圧接させる。これにより、第二の電線Ｃ２を第二保持部１２で保持することができる（図４参照）。
【００４０】
したがって、第一の電線Ｃ１及び第二の電線Ｃ２は、第一保持部１１及び第二保持部１２によって長さ方向にずれがないように保持される。
【００４１】
一方、圧縮スリーブＳは、第一保持部１１及び第二保持部１２と、第一の電線Ｃ１の被覆部材及び第二の電線Ｃ２の被覆部材との間に挟まれた状態になり位置固定される。したがって、第一の電線Ｃ１、第二の電線Ｃ２及び圧縮スリーブＳは、第一の電線Ｃ１及び第二の電線Ｃ２が接続される接続位置からずれることがなく、第一の電線Ｃ１、第二の電線Ｃ２、及び圧縮スリーブＳのそれぞれが、接続位置において位置固定された状態で、圧縮スリーブＳを容易に且つ確実に圧縮することができる。
【００４２】
以上のように、本発明に係る圧縮スリーブ用電線保持具によれば、接続される複数の電線Ｃ１，Ｃ２と、該複数の電線Ｃ１，Ｃ２を接続するための圧縮スリーブＳとが、複数の電線Ｃ１，Ｃ２を接続する接続位置からずれることを防止しつつ、前記接続位置において圧縮スリーブＳを容易に且つ確実に圧縮できるとともに、複数の電線Ｃ１，Ｃ２を容易に且つ確実に接続できる。
【００４３】
なお、本発明に係る圧縮スリーブ用電線保持具は、前記実施形態に限定することなく種々変更することができる。
【００４４】
例えば、前記実施形態の場合、第一保持部１１及び第二保持部１２をそれぞれ一つずつ設けるようにしたが、連結部１３の幅方向に複数設けるようにしてもよい。この場合、第一の電線Ｃ１及び第二の電線Ｃ２を、複数の第一保持部１１と複数の第二保持部１２とで挟み込めるようになり、第一の電線Ｃ１及び第二の電線Ｃ２を確実に保持することができる。
【００４５】
また、前記実施形態の場合、第一保持部１１で第一の電線Ｃ１の被覆部材を保持し、第二保持部１２で第二の電線Ｃ２の第二の導体部Ｃ２０を保持するようにしたが、第一保持部１１及び第二保持部１２の内面に、第一の電線Ｃ１の被覆部材及び第二の電線Ｃ２の被覆部材、又は第一の電線Ｃ１の第一導体部Ｃ１０、及び第二の電線Ｃ２の第二の導体部Ｃ２０に対する滑り止め部材を配置するようにしてもよい。例えば、第一保持部１１及び第二保持部１２の内面の全体にゴム板を貼着してもよく、第一保持部１１及び第二保持部１２の内面に、複数の円弧状のゴム板を所定の間隔をおいて配置してもよい。この場合、第一の電線Ｃ１及び第二の電線Ｃ２に対し、滑り止め部材による摩擦抵抗が作用するようになり、第一の電線Ｃ１及び第二の電線Ｃ２からの圧縮スリーブＳの位置ずれを確実に防止することができ、圧縮スリーブＳの圧縮作業の効率が向上する。
【００４６】
また、前記実施形態の場合、第一保持部１１を円弧状に形成し、第二保持部１２を環状に巻回して形成するようにしたが、少なくともいずれか一方を螺旋状に形成するようにしてもよい。この場合、第一の電線Ｃ１及び第二の電線Ｃ２の少なくともいずれか一方を、その長さ方向に沿って強固に保持できるようになる。
【００４７】
また、前記実施形態の場合、第一の電線Ｃ１の長さ方向途中位置で露出した第一の導体部Ｃ１０、及び第二の電線Ｃ２の端部の第二の導体部Ｃ２０を圧縮スリーブＳの一方側から挿入する場合について説明したが、第一の電線Ｃ１の第一の導体部Ｃ１０の端部を圧縮スリーブＳの一方の側部から挿入した他方の側部から突出させるとともに、第二の電線Ｃ２の導体部Ｃ２０の端部を圧縮スリーブＳの他方の側部から挿入して一方の側部から突出させる場合は、圧縮スリーブＳの一方の側部において、第一の電線Ｃ１の被覆部材が第一保持部１１で保持されると共に、第二の電線Ｃ２の第二の導体部Ｃ２０の端部が第二保持部１２で保持される。一方、圧縮スリーブＳの他方の側部において、第一の電線Ｃ１の導体部Ｃ１０の端部が第二保持部１２で保持されると共に、第二の電線Ｃ２の被覆部材が第一保持部１１で保持される。
【００４８】
また、第一の電線Ｃ１の第一の導体部Ｃ１０の端部と、第二の電線Ｃ２の第二の導体部Ｃ２０の端部とが、圧縮スリーブＳの一方の側部から挿入されて他方の側部から突出される場合は、圧縮スリーブＳの他方の側部から導出される第一の電線Ｃ１及び第二の電線Ｃ２のそれぞれの導体部Ｃ１０，Ｃ２０の端部が、第一保持部１１及び第二保持部１２によって保持される。要は、第一保持部１１及び第二保持部１２によって、第一の電線Ｃ１及び第二の電線Ｃ２が長さ方向に位置ずれしなければよい。
【符号の説明】
【００４９】
１…圧縮スリーブ用電線保持具、１１…第一保持部、１２…第二保持部、１３…連結部、１１０…嵌合凹部、１１１…誘導部、１１２…付勢部、１２０…巻回部、１２１…可動側摘持部、１２２…固定側摘持部、Ｃ１…第一の電線、Ｃ２…第二の電線、Ｃ１０…第一の導体部、Ｃ２０…第二の導体部、Ｓ…圧縮スリーブ
【図１】
0006575864.tif 000002
【図２】
0006575864.tif 000003
【図３】
0006575864.tif 000004
【図４】
0006575864.tif 000005
【図５】
0006575864.tif 000006
【図６】
0006575864.tif 000007
【図７】
0006575864.tif 000008